(57)【要約】【課題】簡素な構成で配光の調整を実行し易い照明装置を提供すること。【解決手段】照明装置１が、板状の導光板３０と、導光板３０の一側面６９に対向するように配置される複数のＬＥＤ６７を備えるようにする。一側面６９において少なくとも１つのＬＥＤ６７が対向可能な対向側面部が、第１側面部６９ａと、第２側面部６９ｂを含むようにする。第１側面部６９ａの厚さ方向の集光度と、第２側面部６９ｂの厚さ方向の集光度が、互いに異なるようにする。第１側面部６９ａに入射させる光の光量と、第２側面部６９ｂに入射させる光の光量とを調整することにより、照明装置１から照射される照射光の配光を調整する。【選択図】図４
2019216017.tif 000002
【特許請求の範囲】
【請求項１】
板状の導光板と、
前記導光板の側面に対向するように配置される複数の光源と、を備え、
前記側面において少なくとも１つの前記光源が対向可能な対向側面部は、第１側面部と、第２側面部を含み、
前記第１側面部の厚さ方向の集光度と、前記第２側面部の前記厚さ方向の集光度が、互いに異なる、照明装置。
【請求項２】
前記複数の光源が、前記第１側面部に対向して第１光を出射する複数の第１光源、及び前記第２側面部に対向して前記第１光と異なる第２光を出射する複数の第２光源を有する、請求項１に記載の照明装置。
【請求項３】
前記第１側面部の前記集光度は、前記第２側面部の前記集光度よりも高く、
前記第１光の色温度が、前記第２光の色温度よりも高い、請求項２に記載の照明装置。
【請求項４】
前記第１光源及び前記第２光源を収容する筐体を備え、
前記第１光源及び前記第２光源は、前記導光板よりも前記筐体の中央に近い箇所に配置され、
前記導光板は、前記筐体から露出する露出部を含む、
請求項２又は３に記載の照明装置。
【請求項５】
前記導光板は、天井対向側に複数のプリズムを有し、
前記プリズムは、前記天井側に開口する略円錐形状又は略円錐台状の凹部で構成され、
前記凹部の中心軸を含む断面において、前記凹部の側面は、前記導光板において前記凹部に繋がる表面部分の延長線に対して４５°以上６０°以下の角度で傾斜する、請求項１乃至４のいずれか１つに記載の照明装置。
【請求項６】
前記複数の光源を前記側面の周囲方向に前記対向側面部に対して相対移動させることで、前記複数の光源が第１側面部に対向する第１状態と、前記複数の光源が前記第２側面部に対向する第２状態とを切り替える操作部を備える、請求項１に記載の照明装置。
【請求項７】
前記複数の光源は、その複数の光源が配置される前記周囲方向の領域において、前記周囲方向に略等間隔に配置される複数の発光ダイオードで構成される、請求項６に記載の照明装置。
【請求項８】
前記対向側面部は、周囲方向に行くにしたがって形状が連続的に変化する連続変動面部を有する、請求項６又は７に記載の照明装置。
【請求項９】
前記導光板は、トーラス又は中空円板の形状を有し、
前記周囲方向は、前記導光板の周方向であり、
前記複数の光源が導光板の径方向の内方側に前記周方向に間隔をおいて配置されて、前記光源が前記導光板に径方向に対向し、
前記導光板は、前記複数の光源に対して前記周方向に相対移動可能である、請求項６乃至８のいずれか１つに記載の照明装置。
【発明の詳細な説明】
【技術分野】
【０００１】
本開示は、照明装置に関する。
【背景技術】
【０００２】
従来、照明装置としては、照射光の調光を実行できるものが知られている。例えば、特許文献１に記載の照明装置は、第１ＬＥＤ（light emitting diode）と、第１ＬＥＤと異なる光を出射する第２ＬＥＤを備える。照明装置は、第１ＬＥＤと、第２ＬＥＤを選択的に発光させることができ、その結果、照射光の調色を実行できるようになっている。
【先行技術文献】
【特許文献】
【０００３】
【特許文献１】特開２０１４−１９４８５８号公報
【発明の概要】
【発明が解決しようとする課題】
【０００４】
特許文献１には、照明光の配光の調整についての記載が存在しないが、既存構成からの大きな設計変更を行わずに配光の調整も遂行できれば、調光において制御できるパラメータを増やすことができ、仕様毎に自在な調光を実行し易い。
【０００５】
そこで、本開示の目的は、簡素な構成で配光の調整を実行し易い照明装置を提供することにある。
【課題を解決するための手段】
【０００６】
上記課題を解決するため、本開示の照明装置は、板状の導光板と、導光板の側面に対向するように配置される複数の光源と、を備え、側面において少なくとも１つの光源が対向可能な対向側面部は、第１側面部と、第２側面部を含み、第１側面部の厚さ方向の集光度と、第２側面部の厚さ方向の集光度が、互いに異なる。
【発明の効果】
【０００７】
本開示に係る照明装置によれば、第１側面部に入射させる光の光量と、第２側面部に入射させる光の光量とを調整することで、照明装置から照射される照射光の配光を調整できる。よって、導光板に厚さ方向の集光度が異なる第１側面部と第２側面部を形成するだけで、簡素な構成で配光の調整を実行できる。
【図面の簡単な説明】
【０００８】
【図１】本開示の第１実施形態に係る照明装置の斜視図である。
【図２】上記照明装置を下方から見たときの模式平面図である。
【図３】上記照明装置に関し、第１導光板と、複数のＬＥＤのみを示す模式平面図である。
【図４】図３における一側面の一部周辺の拡大平面図である。
【図５】（ａ）は、図４のＡ−Ａ線断面図であり、第１導光板の一部の断面図である。また、（ｂ）は、図４のＢ−Ｂ線断面図であり、第１導光板の他の一部の断面図である。
【図６】（ａ）は、第１導光板の上面（後面）の一部を、高さ方向上側から見たときの平面図であり、（ｂ）は、第１導光板の一部を、その上面に設けられると共に円錐形状の孔の内面で構成されるプリズムの中心軸を含む平面で切断したときの断面図である。
【図７】厚さ方向と対向面部の法線方向を含む導光板の断面における側面部の形状と、配光との関係を調査した光学解析の結果の一例を表す図である。
【図８】（ａ）は、上記調査の条件を説明する図であり、（ｂ）は、上記調査を実行した異なるサンプルの生成方法について説明する図である。
【図９】図７に現れる実線と点線について説明する図である。
【図１０】第１実施形態の変形例に係る照明装置を下側から見たときの斜視図である。
【図１１】上記変形例の照明装置における図３に対応する模式平面図である。
【図１２】他の変形例における図５（ｂ）に対応する断面図である。
【図１３】第２実施形態の照明装置の構造について説明する斜視図である。
【図１４】第２実施形態の照明装置における図４に対応する拡大平面図である。
【図１５】（ａ）は、図１４のＡ−Ａ線断面図であり、第１導光板の一部の断面図である。また、（ｂ）は、図１４のＢ−Ｂ線断面図であり、第１導光板の他の一部の断面図である。
【図１６】異なる変形例の照明装置における図１４に対応する拡大平面図である。
【図１７】第２実施形態の照明装置の更なる変形例の構造について説明する斜視図である。
【図１８】上記更なる変形例の構造について説明する模式平面図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明において、表側又は下側と言及した場合、それは光の照射側を示し、裏側又は上側と言及した場合、それは光の照射側とは反対側を示す。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。
【００１０】
（第１実施形態）
図１は、本開示の第１実施形態に係る照明装置１の斜視図である。図１に示すように、照明装置１は、筐体１０、第１導光板３０、及び第２導光板５０を備える。筐体１０は、例えば、取付部を有し、その取付部を天井に設置されたロゼットやシーリングに固定することで天井に取り付けられる。また、各導光板３０,５０は、板形状を有し、ＰＣ（ポリカーボネート）、ＰＭＭＡ（ポリメタクリル酸メチル）樹脂等のアクリル樹脂、又ガラス等の透明材料で構成される。各導光板３０,５０の厚さは、如何なる値でもよいが、例えば、２ｍｍ以上６ｍｍ以下であれば好ましい。
【００１１】
各導光板３０,５０は、筐体１０に固定される。詳しくは、筐体１０は、一対の第１及び第２側壁部１１,１２の下方側に長手方向（以下、Ｘ方向と記載する）に延在する長孔状の貫通孔を有する。第１導光板３０は、一方の貫通孔に嵌め込み固定され、第２導光板５０は、他方の貫通孔に嵌め込み固定される。第１及び第２導光板３０,５０の幅方向（以下、Ｙ方向と記載する）の外方側は、外部に露出している。第１及び第２導光板３０,５０は、接着剤等で貫通孔の内周面及び筐体１０の底面の少なくとも一方に接合されてもよい。また、筐体１０が、第１及び第２導光板３０,５０の固定位置を位置決めするための突出部等を、筐体１０の底面や側壁部の内側に有してもよい。
【００１２】
照明装置１は、略面対称となる構造を有する。詳しくは、Ｘ方向を含むと共に照明装置１を面対称に２等分する平面が存在する。照明装置１において当該平面に対して一方側に位置する構造と、照明装置１において当該平面に対して他方側に位置する構造は、略同一である。例を挙げれば、第１導光板３０と、第２導光板５０は、略同一であり、当該平面に対して略面対称に配置される。以下では、原則的に、照明装置１において上記平面に対して一方側に位置する構造について説明し、上記平面に対して他方側に位置する構造についての説明を省略する。
【００１３】
図２は、照明装置１を下方から見たときの模式平面図である。図２に示すように、照明装置１は、第１導光板３０と第２導光板５０の幅方向の間に光源基板６０を備え、光源基板６０は、基板６５と、複数のＬＥＤ６７と、複数のＬＥＤ６８を含む。複数のＬＥＤ６７は、複数の光源の一例であり、各ＬＥＤ６７は、平面視が概略矩形の第１導光板３０の一側面６９の延在方向（Ｘ方向に一致）に沿うように基板６５の下面（表面）における幅方向の一方側上に一例に実装される。複数のＬＥＤ６７は、長手方向（Ｘ方向に一致）に間隔をおいて配置され、全てが同一の高さに位置する。各ＬＥＤ６７から出射される光の光軸の延在方向は、Ｙ方向に略一致する。各ＬＥＤ６７から出射される光の光軸は、Ｙ方向から見たとき一側面６９に重なり、特に、複数のＬＥＤ６７の全てが、幅方向から見たとき一側面６９に重なるように配置されると好ましい。一側面６９において、幅方向から見たとき複数のＬＥＤ６７に重なる箇所は、対向側面部を構成する。
【００１４】
図３は、第１導光板３０と、複数のＬＥＤ６７のみを示す模式平面図であり、図４は、図３における一側面６９の一部周辺の拡大平面図である。また、図５（ａ）は、図４のＡ−Ａ線断面図であり、第１導光板３０の一部の断面図である。また、図５（ｂ）は、図４のＢ−Ｂ線断面図であり、第１導光板３０の他の一部の断面図である。
【００１５】
図４に示すように、複数のＬＥＤ６７は、複数の第１ＬＥＤ６７ａと、複数の第２ＬＥＤ６７ｂを含む。第１ＬＥＤ６７ａは、第１光源の一例であり、第１光としての白色の光を出射する白色ＬＥＤで構成される。また、第２ＬＥＤ６７ｂは、第２光源の一例であり、第２光としての電球色の光を出射する電球色ＬＥＤで構成される。複数の第１ＬＥＤ６７ａと、複数の第２ＬＥＤ６７ｂは、Ｘ方向に一列に配置され、第１ＬＥＤ６７ａと、第２ＬＥＤ６７ｂは、交互に配置される。一側面６９は、幅方向から見たとき第１ＬＥＤ６７ａに重なる第１側面部６９ａと、幅方向から見たとき第２ＬＥＤ６７ｂに重なる第２側面部６９ｂを有する。
【００１６】
基板６５には、例えば、一対の第１電極端子と、所定パターンの第１ＬＥＤ駆動回路が形成される。第１ＬＥＤ駆動回路は、第１ＬＥＤ６７ａを駆動するための回路であり、第１ＬＥＤ同士を電気的に接続する。外部からの直流電力を、一対の第１電極端子を介して第１ＬＥＤ駆動回路に供給し、第１ＬＥＤ駆動回路に電流を流すことで、第１ＬＥＤ６７ａを発光させる。また、基板６５には、一対の第２極端子と、所定パターンの第２ＬＥＤ駆動回路が形成される。第２ＬＥＤ駆動回路は、第２ＬＥＤ６７ｂを駆動するための回路であり、第２ＬＥＤ同士を電気的に接続する。外部からの直流電力を、一対の第２電極端子を介して第２ＬＥＤ駆動回路に供給し、第２ＬＥＤ駆動回路に電流を流すことで、第２ＬＥＤ６７ｂを発光させる。
【００１７】
図４に示す平面図では、第２側面部６９ｂは、第１側面部６９ａよりもＹ方向の中央側に位置し、第１導光板３０は、第２側面部６９ｂが存在する箇所に凹部を有する。図５（ａ）及び図５（ｂ）に示すように、第１導光板３０の厚さ方向（以下では、Ｚ方向と記載する）とＹ方向を含むＹＺ断面において、第１側面部６９ａは、Ｙ方向外方に凸の凸面であり、第２側面部６９ｂは、Ｙ方向内方に凸の凹面になっている。すなわち、第１側面部６９ａは、Ｚ方向が一方側から他方側に移動するにしたがってＹ方向外方に凸の湾曲線を描くように変位し、第２側面部６９ｂは、Ｚ方向が一方側から他方側に移動するにしたがってＹ方向内方に凸の湾曲線を描くように変位する。
【００１８】
なお、第１実施形態では、照明装置１の幅方向が、対向側面部の延在方向となっていて、ＬＥＤ６７ａ,６７ｂから出射される光の光軸の延在方向となっている。しかし、照明装置の長手方向が、対向側面部の延在方向となっていてもよく、第１及び第２光源から出射される光の光軸の延在方向となっていてもよい。
【００１９】
図６（ａ）は、第１導光板３０の上面（後面）３０ｂの一部を、高さ方向上側から見たときの平面図である。図６に示すように、その上面３０ｂには、複数のプリズム７１が略全域に互いに間隔をおいてマトリクス状に設けられる。複数のプリズム７１は、全て同一の形状を有し、例えば、円錐形状の孔の内面で構成される。図６（ｂ）、すなわち、第１導光板３０の一部を、円錐形状の孔の中心軸を含む平面で切断したときの断面図において、孔の側面７１ａと、第１導光板３０の表面において当該孔につながる表面部分３０ｃの延長線３０ｄがなす角θは、如何なる角度でもよいが、３５°以上７０°以下であれば好ましく、４５°以上６０°以下であれば照明装置の直下により効率的に光を照射できるため、さらに好ましい。また、プリズム７１は全て同一形状である必要はなく、例えば異なる形状や異なる角度を持つ複数種類のプリズム群から構成されていてもよい。
【００２０】
また、プリズム７１の開口の直径φは、如何なる値でもよいが、５００μｍ以下であれば導光板を直視した場合の品位が高くなるため好ましい。また、Ｓ＝［（第１導光板３０の上面３０ｂに設けられる全てのプリズム７１の開口面積の和／（第１導光板３０の上面３０ｂの面積））で定義されるプリズム７１の被覆率Ｓは、如何なる値でもよいが、１０％以上７０％以下であれば好ましい。また、プリズム７１の配置は導光板の面内に均一に配置される必要はなく、例えば光源に近い領域は被覆率Ｓが低く、光源から遠くなるに従い徐々に被覆率Ｓが高くなるようなグラデーション配置も好ましい。
【００２１】
なお、プリズム７１が、円錐状の穴の内面で構成される場合について説明した。しかし、プリズムは、他の形状であってもよく、例えば、円錐台状の孔の内面、半球状の孔の内面、及び溝状の凹部のうちの少なくとも一つで構成されてもよい。又は、プリズムは、円錐状の突起、円錐台状の突起、半球状の突起、及び畝状の突起の少なくとも一つで構成されてもよい。
【００２２】
また、複数のプリズム７１が、第１導光板３０の上面に設けられる場合について説明したが、複数のプリズムは、導光板の下面、あるいは両面に設けられてもよい。また、平面視が矩形の導光板において複数の光源が対向しない１以上の略平面状の側面部をＺ方向（厚さ方向、及び高さ方向に一致）に傾斜するように形作り、かつ、光源が対向する対向側面部よりも表面粗さＲａが大きい粗面としてもよい。このような側面部を設けると、照明光として有効な光の取り出し効率を高くできると共に、その１以上の略平面状の側面部から出射される光に起因するグレアや壁面の輝度ムラも略抑制できるか、又は防止できる。
【００２３】
図７は、導光板の厚さ方向と対向面部の法線方向を含む導光板の断面における側面部の形状と、配光との関係を調査した光学解析の結果の一例を表す図である。解析は、次に構造を示す導光板を用いて行った。詳しくは、図８（ａ）に示すように、ＬＥＤ９０を、その出射光の光軸が導光板９１の長手方向に略一致する状態で一側面９２に対向する位置に配置して、ＬＥＤ９０から光を出射することにより解析を行った。また、導光板９１として、概略的な概形が、長手方向長さＬが１５０ｍｍで、幅方向長さが５０ｍｍで、高さが４.０ｍｍであるものを用いた。また、導光板９１として、その上面（後面）９３に、複数のプリズム（不図示）を設けたものを用いた。プリズムは、円錐状の孔の内面で構成し、その孔の内面と、それに繋がる導光板９１の表面部分の延長線がなす角度は、５５°に設定し、プリズムの開口の直径φは、２５０μｍに設定した。また、複数のプリズムを等間隔にマトリクス状に配置し、被覆率Ｓを略３０％に設定した。また、一側面９２においてＬＥＤ９０に対向する側面部の形状を変化させ、側面部の形状が異なる複数のサンプルに関して解析を行った。
【００２４】
具体的には、異なる解析モデルを次のように作成した。詳しくは、図８（ｂ）に示すように、側面部が蒲鉾状の凸面の場合、略平行な一対の縁部間距離を４.０ｍｍとし、側面部に対向するＬＥＤ９０の厚さ方向長さを２.０ｍｍとした。そして、縁部を、凸面も凹面も存在しない基準平面７３に一致させた条件において、凸面の先端７４と基準平面７３との距離を変動させて異なる解析モデルを作成した。また、図示しないが、樋状の凹面の場合、略平行な一対の縁部間距離を４.０ｍｍとし、縁部を、凸面も凹面も存在しない基準平面７３に一致させた条件において、凹面の底と基準平面７３との距離を変動させて異なる解析モデルを作成した。
【００２５】
図７において、実線のデータは、図９のα断面における配光を示し、点線のデータは、図９のβ断面における配光を示す。図７に示すように、表の左端の０.８ｍｍの凸面と、表の右端の０.８ｍｍの凹面を比較した場合、それらの面を通過するα断面における配光に関し、照射光は、０.８ｍｍの凸面の方が０.８ｍｍの凹面よりも狭い範囲に照射されており、略直下に高い光度が得られている。
【００２６】
更には、図７に示す複数の解析モデルの解析結果によると、α断面における配光に関し、凸面の曲率が０に近づくにつれて、すなわち、０.８ｍｍの凸面から平面（フラット）に近づくにつれて、照射光が徐々に広い範囲に照射されている。また、平面から０.８ｍｍの凹面に移行するにしたがって、照射光が徐々に広い範囲に照射されている。
【００２７】
よって、α断面、すなわち、側面部における厚さ方向を含む断面に関し、側面部の形状を凹面から凸面に変化させると、照明装置の直下方向の狭い領域を重点的に照らすことができて、より照明装置の直下領域を明るくでき、集光度が高い配光を実現できる。逆に言えば、α断面に関し、側面部の形状を凸面から凹面に変化させると、より広範囲な領域を均一に照らすことができて部屋全体を拡散光で明るくでき、集光度が低い配光を実現できる。
【００２８】
以上、照明装置１は、板状の第１導光板３０と、第１導光板３０の一側面６９に対向するように配置される複数の第１ＬＥＤ６７ａと、第１導光板３０の一側面６９に対向するように配置される第２ＬＥＤ６７ｂを備える。また、一側面６９において少なくとも１つのＬＥＤ６７ａ,６７ｂが対向可能な対向側面部は、第１側面部６９ａと、第２側面部６９ｂを含む。また、第１側面部６９ａの厚さ方向の集光度と、第２側面部６９ｂの厚さ方向の集光度が、互いに異なる。
【００２９】
したがって、第１側面部６９ａに入射させる光の光量と、第２側面部６９ｂに入射させる光の光量とを調整することで、照明装置１から照射される照射光の配光を調整できる。よって、第１導光板３０において複数の光源を構成する第１及び第２ＬＥＤ６７ａ,６７ｂに対向する一側面６９に厚さ方向の集光度が異なる２以上の面を形成するだけで、配光を変えることができ、簡素な構成で配光の調整を実行できる。
【００３０】
また、複数の光源が、第１側面部６９ａに対向して第１光としての白色の光を出射する複数の第１ＬＥＤ６７ａ、及び第２側面部６９ｂに対向して白色の光と異なる第２光としての電球色の光を出射する複数の第２ＬＥＤ６７ｂを有してもよい。
【００３１】
上記構成によれば、異なる色の光で配光を変えることができる。よって、照明光の調色と配光の両方を変更でき、照明光による演出を大きく変更できる。
【００３２】
また、第１側面部６９ａの厚さ方向の集光度が、第２側面部６９ｂの厚さ方向の集光度よりも高くてもよく、第１光（白色の光）が、第２光（電球色の光）の色温度よりも高くてもよい。
【００３３】
上記構成によれば、仕事や勉強の際に好適に使用できる白色色の光のような色温度が高い光の集光度を高くできる一方、テレビの視聴時等、リラックスしている際に好適に使用できる電球色の光のような色温度が低い光の集光度を低くできる。その結果、仕事や勉強の際に書類等に集中的に色温度が高い光を卓上ライトのように照射できて仕事や勉強に適した配光を実現できる一方、リラックス時には、部屋中を色温度が低い拡散光で満たすことができ、安らぎ感やリラックス感を演出できる。
【００３４】
また、第１光源としての第１ＬＥＤ６７ａ、及び第２光源としての第２ＬＥＤ６７ｂを収容する筐体１０を備えてもよい。また、図２に示すように、第１及び第２ＬＥＤ６７ａ,６７ｂは、第１導光板３０よりも筐体１０の中央に近い箇所に配置されてもよい。また、図１に示すように、第１導光板３０は、筐体１０から露出する露出部３０ａを含んでもよい。
【００３５】
上記構成によれば、第１及び第２ＬＥＤ６７ａ,６７ｂが、筐体１０の中央に近い箇所に配置されるので、照明装置１をコンパクトに構成し易い。また、第１導光板３０が、筐体１０から露出する露出部３０ａを含んでいるので、照明光の出力を高くし易い。
【００３６】
また、第１導光板３０は、天井対向側に複数のプリズム７１を有してもよい。また、プリズム７１は、天井側に開口する略円錐形状又は略円錐台状の凹部で構成されてもよい。また、上記凹部の中心軸を含む断面において、凹部の側面７１ａは、第１導光板３０において上記凹部に繋がる表面部分の延長線７１ｃに対して４５°以上６０°以下の角度θで傾斜してもよい。
【００３７】
上記構成によれば、照明装置１の直下に効率的に光を照射することができる。
【００３８】
なお、第１実施形態の照明装置１では、第１及び第２ＬＥＤ６７ａ,６７ｂが、第１導光板３０よりも筐体１０の中央に近い箇所に配置され、第１導光板３０が、筐体１０から露出する露出部３０ａを含む場合について説明した。しかし、導光板は、露出する部分を有さなくてもよく、全ての部分が筐体内に配置されてもよい。また、光源が、導光板よりも外側（中心側（内側）とは反対側）に配置されてもよく、例えば、図３を参照して、複数のＬＥＤが、導光板３０における外側の側面７９に対向するように配置されてもよい。そして、幅方向から見たとき、各ＬＥＤが側面７９に重なってもよく、各ＬＥＤからの出射光の光軸がＹ方向に略一致してもよい。
【００３９】
また、複数の光源が、複数の第１ＬＥＤ６７ａと、複数の第２ＬＥＤ６７ｂを含む場合について説明し、第１ＬＥＤ６７ａが、白色の光を出射する一方、第２ＬＥＤ６７ｂが、電球色の光を出射する場合について説明した。そして、第１導光板３０において第１ＬＥＤ６７ａに対向する第１側面部６９ａの厚さ方向の集光度が、第１導光板３０において第２ＬＥＤ６７ｂに対向する第２側面部６９ｂの厚さ方向の集光度よりも高い場合について説明した。
【００４０】
しかし、第１ＬＥＤが白色光を出射することと、第２ＬＥＤが電球色光を出射することの少なくとも一方が、満たされなくてもよい。そして、その条件で、第１ＬＥＤが、色温度が高い第１光を出射する一方、第２ＬＥＤが、第１光よりも色温度が低い第２光を出射してもよい。また、その条件で、導光板において第１ＬＥＤに対向する第１側面部の厚さ方向の集光度が、導光板において第２ＬＥＤに対向する第２側面部の厚さ方向の集光度よりも高くてもよい。この場合でも、配光に加えて、調色も実行できて好ましい。
【００４１】
又は、第１ＬＥＤが、色温度が高い第１光を出射する一方、第２ＬＥＤが、第１光よりも色温度が低い第２光を出射してもよい。そして、その条件で、導光板において第１ＬＥＤに対向する第１側面部の厚さ方向の集光度が、導光板において第２ＬＥＤに対向する第２側面部の厚さ方向の集光度よりも低くてもよい。
【００４２】
又は、複数の光源は、同一の光を出射する１種類のみのＬＥＤを有してもよい。そして、例えば、導光板の第１側面部に対向するＬＥＤと、第１側面部とは厚さ方向の集光度が異なる第２側面部に対向するＬＥＤを、選択的に駆動することで、配光のみを変更するようにしてもよい。又は、導光板の第１側面部に対向するＬＥＤの駆動数と、第１側面部とは厚さ方向の集光度が異なる第２側面部に対向するＬＥＤの駆動数を調整することで、第１側面部に対向する１以上のＬＥＤと、第２側面部に対向する１以上のＬＥＤを同時に駆動して、３種類以上の配光を実現するようにしてもよい。
【００４３】
また、第１ＬＥＤ６７ａと、第２ＬＥＤ６７ｂについて、選択的に一方だけ発光させる場合について説明した。しかし、第１ＬＥＤと、第２ＬＥＤを、同時に発光させる選択が可能でもよく、第１ＬＥＤから出射された光と、第２ＬＥＤから出射された光をミキシングした光を発光させてもよい。
【００４４】
また、複数の光源が、互いに異なる２つのＬＥＤ６７ａ,６７ｂを含む場合について説明した。しかし、複数の光源は、互いに異なる３以上のＬＥＤを有してもよく、複数の光源に対向する導光板の対向側面部が、厚さ方向の集光度が異なる３以上の側面部を有してもよい。
【００４５】
また、複数の光源を、ＬＥＤ６７ａ,６７ｂで構成する場合について説明したが、複数の光源は、白熱電球等のＬＥＤ以外の発光体で構成してもよい。
【００４６】
また、導光板３０,５０が、略直方体の形状を有する場合について説明した。しかし、導光板は、板状以外の形状でもよい。図１０は、そのような変形例の照明装置１０１の構造を説明するための斜視図であり、第１実施形態の変形例に係る照明装置１０１を下側から見たときの斜視図である。また、図１１は、その照明装置１０１における図３に対応する模式平面図である。
【００４７】
図１０に示すように、照明装置１０１は、筐体１１０、及び導光板１３０を備え、筐体１１０は、下側からの平面視が円形の形状を有する。導光板１３０は、ドーナツ状（トーラス状）の形状を有し、径方向内方の環状の一部分が、筐体１１０内に配置され、径方向外方の環状の大部分が筐体１１０から外部に露出する。
【００４８】
図１１に示すように、照明装置１０１は、導光板１３０の径方向内方に円板状又は中空円板状の基板１６５を有してもよい。そして、複数の光源としての複数のＬＥＤ６７を、基板１６５の一方側面（表面又は裏面）に、導光板１３０の内周側の側面１６９に対向すると共に、その側面１６９に沿うように導光板１３０の周方向の全域に等間隔又は非等間隔に配置してもよい。
【００４９】
また、特に、図１１に示すように、複数のＬＥＤ６７を、複数の第１ＬＥＤ６７ａと、複数の第２ＬＥＤ６７ｂで構成してもよい。そして、複数の第１ＬＥＤ６７ａと、複数の第２ＬＥＤ６７ｂを、径方向から見たとき側面１６９に重なると共に、各ＬＥＤ６７ａ,６７ｂから出射される光の光軸が略径方向に一致するように、周方向に交互に配置してもよい。
【００５０】
また、Ａ−Ａ線断面、すなわち、第１ＬＥＤ６７ａからの出射光の光軸の延在方向と、導光板１３０の厚さ方向の両方を含む平面での断面での形状が、図５（ａ）に示す断面形状と同一の形状になるようにしてもよい。また、Ｂ−Ｂ線断面、すなわち、第２ＬＥＤ６７ｂからの出射光の光軸の延在方向と、導光板１３０の厚さ方向の両方を含む平面での断面での形状が、図５（ｂ）に示す断面形状と同一の形状になるようにしてもよい。
【００５１】
また、図１０、及び図１１に示す例において、導光板の形状を、ドーナツ形状から中空の円板形状に変更してもよい。また、基板を、ドーナツ、又は中空の円板形状の導光板の径方向の外方側の領域に配置してもよい。そして、複数のＬＥＤを、導光板の外周側の側面に対向すると共に周方向に隣り合うように配置してもよい。
【００５２】
また、図５（ａ）に示すように、湾曲面が、出射光の光軸の延在方向と導光板の厚さ方向とを含む平面での断面において内側に凸の湾曲線の形状を有すれば、その湾曲面で集光度が低い拡散配光を実現し易いことについて説明した。しかし、図１２、すなわち、他の変形例における図５（ｂ）に対応する断面図に示すように、そのような断面図において、先端に略等脚台形状の凹部が存在する形状等を採用しても、集光度が低い拡散配光を実現し易い。
【００５３】
（第２実施形態）
第１実施形態及びその変形例では、筐体に対する導光板の相対位置が変動しない場合について説明した。しかし、今から説明する第２実施形態およびその変形例のように、筐体に対する導光板の相対位置を変動させることで、配光を変更させるようにしてもよい。なお、第２実施形態では、第１実施形態と同一の構成に第１実施形態と同一の参照番号を付して説明を省略する。また、第２実施形態では、第１実施形態と同様の作用効果及び変形例についての説明を省略する。
【００５４】
図１３を参照して、第１実施形態の照明装置１との比較で、照明装置２０１は、第１及び第２導光板２３０,２５０が筐体２１０に対して図１３に矢印Ｃで示す照明装置２０１の長手方向に相対移動可能であってもよい。この構造は、例えば、長手方向（Ｘ方向）に延在する１条の突出部を導光板に固着する一方、筐体にその突出部がＸ方向に移動するようにガイドするガイド溝を設けることで実現できる。また、ガイド溝内の２か所にストッパを設けることで、第１導光板２３０が筐体２１０に対して移動するＸ方向の範囲を制限することができる。
【００５５】
そして、このＣ方向の相対移動により、図１４、すなわち、照明装置２０１における図４に対応する拡大平面図に示すように、第１導光板２３０の一側面２６９に対向すると共に周囲方向の一例である一側面２６９の延在方向（Ｘ方向に一致）に略等間隔に配置された複数のＬＥＤ２６４を、第１導光板２３０に対して一側面２６９の延在方向に相対移動させてもよい。このようにして、第１導光板２３０において複数のＬＥＤ２６４が対向する側面部が、図１５（ａ）にＡ−Ａ線断面の断面形状を示す第１側面部２６９ａと、図１５（ｂ）にＢ−Ｂ線断面の断面形状を示す第２側面部２６９ｂとの間で切り替え可能になるようにしてもよい。
【００５６】
なお、この場合、上述のように、ガイド溝内に設けられた一方側ストッパによって筐体２１０に対する第１導光板２３０の一方側の必要以上の相対移動を規制（防止）にしてもよい。そして、一方側の相対移動が不可能になった状態で、複数のＬＥＤ２６４が、第１側面部２６９ａに対向するようにしてもよい。また、ガイド溝内に設けられた他方側ストッパによって筐体２１０に対する第１導光板２３０の他方側の必要以上の相対移動を規制（防止）にしてもよい。そして、他方側の相対移動が不可能になった状態で、複数のＬＥＤ２６４が、第２側面部２６９ｂに対向するようにしてもよい。
【００５７】
また、筐体２１０に対する第１導光板２３０の相対移動は、屋根が低い場合、ユーザの手動で実行してもよい。この場合、天井に対して相対移動する筐体又は導光板の外面が、複数のＬＥＤが第１側面部に対向する第１状態と、複数のＬＥＤが第２側面部に対向する第２状態とを切り替える操作部を構成する。
【００５８】
又は、筐体２１０に対する第１導光板２３０の相対移動は、モータ直結ボールねじのねじ軸を、筐体及び導光板の一方に固定する一方、モータ直結ボールねじのナットを筐体及び導光板の他方に固定することで実行してもよい。そして、操作部を構成するリモコンによる操作によって、モータに制御信号を出力してモータを所定回転数回転させることでＣ方向の相対移動を遂行してもよい。
【００５９】
また、図１６、すなわち、異なる変形例の照明装置３０１における図１４に対応する拡大平面図に示すように、各ＬＥＤに対応する側面部領域において、ＬＥＤ２６４が対向する側面部の湾曲面の形状が、Ｃ方向に相対移動させるにしたがって、図１５（ａ）にＡ−Ａ線断面の断面形状を示す凸面から図１５（ｂ）にＢ−Ｂ線断面の断面形状を示す凹面まで連続的に変動してもよい。この場合、その側面部領域の範囲内でＣ方向の相対移動量を調整することで、異なる多数の配光を実現可能できるため、ユーザが好みの配光を実現させ易くなって好ましい。
【００６０】
また、筐体に対する導光板の相対移動による配光変更を、円板状の照明装置に実行してもよい。詳しくは、図１７に示すように、図１０に示す照明装置１０１との比較において、ドーナツ状の導光板４３０が、その径方向の内側に配置される中央部４１０ａを含む筐体４１０の当該中央部４１０ａに対して矢印Ｄで示す周方向に相対移動可能であってもよい。また、この周方向の相対移動回転は、導光板に周方向に延在する円弧状の突出部を設ける一方、筐体にその突出部が嵌り込む円弧状の凹部を設けることで実行してもよい。
【００６１】
そして、図１８に示すように、その周方向の相対回転によって、照明装置４０１が導光板４３０の内周側に導光板４３０の内側側面４６９に対向するように配置された複数のＬＥＤ４６４における各ＬＥＤ４６４を、図５（ａ）にＡ−Ａ線断面形状を有する第１側面部と、図５（ｂ）にＢ−Ｂ線断面形状を有する第２側面部の一方に選択的に対向させるようにしてもよい。
【００６２】
また、その周方向の相対移動は、ユーザの手動で行ってもよい。そして、その場合、一方側の必要以上の相対回転を規制（防止）する一方側ストッパと、他方側の必要以上の相対回転を規制（防止）する他方側ストッパを、筐体の上記円弧状の凹部に設けると好ましい。そして、一方側の周方向の相対移動が不可能になった状態で、複数のＬＥＤ４６４が、第１側面部４６９ａに対向するようにしてもよく、他方側の相対移動が不可能になった状態で、複数のＬＥＤ４６４が、第２側面部４６９ｂに対向するようにしてもよい。
【００６３】
又は、上記周方向の相対移動は、モータを用いて実行してもよい。すなわち、照明装置４０１にモータを搭載し、リモコンからの信号でモータに所定の回転動力を発生させて、導光板４３０を中央部４１０ａ（図１７参照）に対して周方向の一方側や他方側に所定距離相対回転させるようにしてもよい。
【００６４】
以上、照明装置２０１,３０１,４０１は、複数のＬＥＤ２６４,４６４を側面の周囲方向に導光板２３０,４３０の対向側面部に対して相対移動させることで、複数のＬＥＤ２６４,４６４が第１側面部２６９ａ,４６９ａに対向する第１状態と、複数のＬＥＤ２６４,４６４が第２側面部２６９ｂ,４６９ｂに対向する第２状態とを切り替える操作部を備えてもよい。
【００６５】
上記構成によれば、操作部を用いて配光を容易に変更できる。
【００６６】
また、複数の光源は、その複数の光源が配置される周囲方向の領域において、周囲方向に略等間隔に配置される複数のＬＥＤ（発光ダイオード）２６４,４６４で構成されてもよい。
【００６７】
上記構成によれば、同一の相対移動で、複数のＬＥＤ２６４,４６４における各ＬＥＤ２６４,４６４からの光の配光を全て同様の配光に変更できる。
【００６８】
また、図１６に示すように、対向側面は、周囲方向に行くにしたがって形状が連続的に変化する連続変動面部を有してもよい。
【００６９】
上記構成によれば、相対移動量を調整することで、異なる多数の配光を実現できる。よって、ユーザが好みの配光を実現させ易い。
【００７０】
また、導光板４３０は、トーラス又は中空円板の形状を有してもよい。また、周囲方向が、導光板４３０の周方向でもよい。また、複数のＬＥＤ４６４が導光板４３０の径方向の内方側に周方向に間隔をおいて配置されて、ＬＥＤ４６４が導光板４３０に径方向に対向してもよい。また、導光板４３０は、複数のＬＥＤ４６４に対して周方向に相対移動可能でもよい。
【００７１】
上記構成によれば、平面視が略円形の照明装置４０１において配光の変更を容易に実現できる。
【符号の説明】
【００７２】
１,１０１,２０１,３０１,４０１  照明装置、  １０  筐体、  ３０,２３０  第１導光板、  ３０ａ  露出部、  ５０,２５０  第２導光板、  ６７,２６４,４６４  ＬＥＤ、  ６７ａ  第１ＬＥＤ、  ６７ｂ  第２ＬＥＤ、  ６９  一側面、  ６９ａ,２６９ａ,４６９ａ  第１側面部、  ６９ｂ,２６９ｂ,４６９ｂ  第２側面部、  ７１  プリズム、  １３０,４３０  導光板。
【図１】
2019216017.tif 000003
【図２】
2019216017.tif 000004
【図３】
2019216017.tif 000005
【図４】
2019216017.tif 000006
【図５】
2019216017.tif 000007
【図６】
2019216017.tif 000008
【図７】
2019216017.tif 000009
【図８】
2019216017.tif 000010
【図９】
2019216017.tif 000011
【図１０】
2019216017.tif 000012
【図１１】
2019216017.tif 000013
【図１２】
2019216017.tif 000014
【図１３】
2019216017.tif 000015
【図１４】
2019216017.tif 000016
【図１５】
2019216017.tif 000017
【図１６】
2019216017.tif 000018
【図１７】
2019216017.tif 000019
【図１８】
2019216017.tif 000020